【手続補正書】
【提出日】平成28年2月23日(2016.2.23)
【手続補正１】
【補正対象書類名】特許請求の範囲
【補正対象項目名】全文
【補正方法】変更
【補正の内容】
【特許請求の範囲】
【請求項１】
サーバ装置と、当該サーバ装置と通信可能に設けられた複数の端末装置とを備えたメッセージ交換システムであって、
前記サーバ装置は、
メッセージ交換を行う複数の端末装置のいずれかからメッセージを受信し記録部に記録するサーバ側メッセージ受信手段と、
前記記録部に記録されているメッセージを読み出して送信するサーバ側メッセージ送信手段とを備え、
前記端末装置は、
前記サーバ装置から送信されてきたメッセージを受信する端末側メッセージ受信手段と、
受信したメッセージを表示部に表示する受信メッセージ表示手段と、
ユーザが入力部から入力したメッセージを表示部に表示する送信メッセージ表示手段と、
前記送信メッセージを前記サーバ装置に送信する端末側メッセージ送信手段と、
を備えたメッセージシステムであって、
前記メッセージの少なくとも一部は、画像メッセージであることを特徴とするシステム。
【請求項２】
メッセージ交換システムのための端末装置であって、
サーバ装置から送信されてきたメッセージを受信する端末側メッセージ受信手段と、
受信したメッセージを表示部に表示する受信メッセージ表示手段と、
ユーザが入力部から入力したメッセージを表示部に表示する送信メッセージ表示手段と、
前記送信メッセージを前記サーバ装置に送信する端末側メッセージ送信手段と、
を備えた端末装置であって、
前記メッセージの少なくとも一部は、画像メッセージであることを特徴とする端末装置。
【請求項３】
メッセージ交換システムのための端末装置をコンピュータによって実現するための端末プログラムであって、コンピュータを、
サーバ装置から送信されてきたメッセージを受信する端末側メッセージ受信手段と、
受信したメッセージを表示部に表示する受信メッセージ表示手段と、
ユーザが入力部から入力したメッセージを表示部に表示する送信メッセージ表示手段と、
前記送信メッセージを前記サーバ装置に送信する端末側メッセージ送信手段として機能させる端末プログラムであって、
前記メッセージの少なくとも一部は、画像メッセージであることを特徴とする端末プログラム。
【請求項４】
メッセージ交換システムのための端末装置であって、
相手方端末装置から送信されてきたメッセージを受信する端末側メッセージ受信手段と、
受信したメッセージを表示部に表示する受信メッセージ表示手段と、
ユーザが入力部から入力したメッセージを表示部に表示する送信メッセージ表示手段と、
前記送信メッセージを前記相手方端末装置に送信する端末側メッセージ送信手段と、
を備えた端末装置であって、
前記メッセージの少なくとも一部は、画像メッセージであることを特徴とする端末装置。
【請求項５】
メッセージ交換システムのための端末装置をコンピュータによって実現するための端末プログラムであって、コンピュータを、
相手方端末装置から送信されてきたメッセージを受信する端末側メッセージ受信手段と、
受信したメッセージを表示部に表示する受信メッセージ表示手段と、
ユーザが入力部から入力したメッセージを表示部に表示する送信メッセージ表示手段と、
前記送信メッセージを前記相手方端末装置に送信する端末側メッセージ送信手段として機能させる端末プログラムであって、
前記メッセージの少なくとも一部は、画像メッセージであることを特徴とする端末プログラム。
【請求項６】
請求項１〜５のいずれかのシステム、装置またはプログラムにおいて、
前記画像メッセージは、相手方の端末装置において表示されたときに、相手方ユーザによって操作可能なものであることを特徴とするシステムまたは装置。
【請求項７】
請求項６のシステム、装置またはプログラムにおいて、
前記送信メッセージ表示手段は、ユーザの操作によって入力された文字メッセージおよび、ユーザの操作によって選択された、相手方ユーザの賛否の意思を確認できる画像メッセージを表示し、
相手方ユーザの端末装置の受信メッセージ表示手段は、前記文字メッセージおよび相手方ユーザの賛否の意思を確認できる画像メッセージを表示し、
相手側ユーザの端末装置の端末側メッセージ送信手段は、前記相手方ユーザによる賛否の選択結果を前記サーバ装置に送信し、
前記送信メッセージ表示手段は、前記メッセージおよび賛否の前記選択結果を表示することを特徴とするシステム、装置またはプログラム。
【請求項８】
請求項６のシステム、装置またはプログラムにおいて、
前記送信メッセージ表示手段は、ユーザの操作によって入力された文字メッセージおよび、ユーザの操作によって選択された択一画像メッセージを表示し、
相手方ユーザの端末装置の受信メッセージ表示手段は、前記文字メッセージおよび択一画像メッセージを表示し、
相手側ユーザの端末装置の端末側メッセージ送信手段は、前記相手方ユーザによる選択結果を前記サーバ装置に送信し、
前記送信メッセージ表示手段は、前記メッセージおよび前記選択結果を表示することを特徴とするシステム、装置またはプログラム。
【請求項９】
請求項６のシステム、装置またはプログラムにおいて、
前記送信メッセージ表示手段は、ユーザの操作によって入力された文字メッセージおよび、ユーザの操作によって選択されたＴＯＤＯメッセージを表示し、
相手方ユーザの端末装置の受信メッセージ表示手段は、前記文字メッセージおよびＴＯＤＯ画像メッセージを表示し、
相手側ユーザの端末装置の端末側メッセージ送信手段は、前記相手方ユーザによる完了チェックを前記サーバ装置に送信し、
前記送信メッセージ表示手段は、前記メッセージおよび前記完了チェックを表示することを特徴とするシステム、装置またはプログラム。
【請求項１０】
請求項９のシステム、装置またはプログラムにおいて、
ＴＯＤＯメッセージを受信したサーバ装置のサーバ側メッセージ受信手段は、これをＴＯＤＯ記録部に記録し、
サーバ装置は、端末装置から完了チェックが送信されてくると当該ＴＯＤＯメッセージを完了状態にするＴＯＤＯ管理手段をさらに備えることを特徴とするシステム、装置またはプログラム。
【請求項１１】
請求項６のシステム、装置またはプログラムにおいて、
前記送信メッセージ表示手段は、ＵＲＬがひもづけられた画像メッセージを表示し、
相手方ユーザの端末装置の受信メッセージ表示手段は、前記画像メッセージおよびＵＲＬへのリンクを表示することを特徴とするシステム、装置またはプログラム。
【請求項１２】
請求項１〜１１のいずれかのシステム、装置またはプログラムにおいて、
前記端末側メッセージ送信手段は、前記画像メッセージの画像、選択結果、完了チェックについては、当該画像の識別符号をサーバ装置に送信するものであり、
前記受信メッセージ表示手段は、前記画像メッセージの画像、選択結果、完了チェックについては、受信メッセージに含まれる識別符号に基づいて、記録部に記録されている対応する画像を読み出して表示することを特徴とするシステム、装置またはプログラム。
【請求項１３】
請求項１〜１２のいずれかのシステム、装置またはプログラムにおいて、
前記端末装置の記録部には、リコメンド・メッセージ属性情報、キーワード属性情報に代えて、あるいはこれに加えて、キーワードに対応したリコメンドメッセージがキーワード・リコメンド情報が記録されており、
前記端末装置のリコメンド・メッセージ抽出手段は、キーワード属性情報、リコメンド・メッセージ属性情報に基づくリコメンド・メッセージの抽出に代えて、あるいはこれに加えて、受信メッセージまたは送信メッセージに含まれるキーワードから、キーワード・リコメンド情報に基づいてリコメンド・メッセージを抽出することを特徴とするシステム、装置またはプログラム。
【請求項１４】
サーバ装置と、当該サーバ装置と通信可能に設けられた複数の端末装置とを備えたメッセージ交換システムであって、
前記サーバ装置は、
メッセージ交換を行う複数の端末装置のいずれかからメッセージを受信し記録部に記録するサーバ側メッセージ受信手段と、
前記記録部に記録されているメッセージを読み出して送信するサーバ側メッセージ送信手段とを備え、
前記端末装置は、
リコメンド・メッセージおよびその属性を示すリコメンド・メッセージ属性情報と、キーワードおよびその属性を示すキーワード属性情報とを記録する記録部と、
前記サーバ装置から送信されてきたメッセージを受信する端末側メッセージ受信手段と、
受信したメッセージを表示部に表示する受信メッセージ表示手段と、
ユーザが入力部から入力したメッセージを表示部に表示する送信メッセージ表示手段と、
前記記録部に記録されたキーワード属性情報に基づいて、受信メッセージまたは送信メッセージに含まれるキーワードの属性を抽出し、当該抽出属性に基づいてリコメンド・メッセージ属性情報からリコメンド・メッセージを抽出するリコメンド・メッセージ抽出手段と、
抽出されたリコメンド・メッセージを入力部の操作によって選択可能に表示部に表示するリコメンド・メッセージ表示手段と、
前記送信メッセージを前記サーバ装置に送信する端末側メッセージ送信手段と、
を備えたメッセージシステム。
【請求項１５】
メッセージ交換システムのための端末装置であって、
リコメンド・メッセージおよびその属性を示すリコメンド・メッセージ属性情報と、キーワードおよびその属性を示すキーワード属性情報とを記録する記録部と、
サーバ装置から送信されてきたメッセージを受信する端末側メッセージ受信手段と、
受信したメッセージを表示部に表示する受信メッセージ表示手段と、
ユーザが入力部から入力したメッセージを表示部に表示する送信メッセージ表示手段と、
前記記録部に記録されたキーワード属性情報に基づいて、受信メッセージまたは送信メッセージに含まれるキーワードの属性を抽出し、当該抽出属性に基づいてリコメンド・メッセージ属性情報からリコメンド・メッセージを抽出するリコメンド・メッセージ抽出手段と、
抽出されたリコメンド・メッセージを入力部の操作によって選択可能に表示部に表示するリコメンド・メッセージ表示手段と、
前記送信メッセージを前記サーバ装置に送信する端末側メッセージ送信手段と、
を備えた端末装置。
【請求項１６】
メッセージ交換システムのための端末装置をコンピュータによって実現するための端末プログラムであって、
前記コンピュータには、リコメンド・メッセージおよびその属性を示すリコメンド・メッセージ属性情報と、キーワードおよびその属性を示すキーワード属性情報とを記録する記録部が設けられており、
前記端末プログラムは、コンピュータを、
前記サーバ装置から送信されてきたメッセージを受信する端末側メッセージ受信手段と、
受信したメッセージを表示部に表示する受信メッセージ表示手段と、
ユーザが入力部から入力したメッセージを表示部に表示する送信メッセージ表示手段と、
前記記録部に記録されたキーワード属性情報に基づいて、受信メッセージまたは送信メッセージに含まれるキーワードの属性を抽出し、当該抽出属性に基づいてリコメンド・メッセージ属性情報からリコメンド・メッセージを抽出するリコメンド・メッセージ抽出手段と、
抽出されたリコメンド・メッセージを入力部の操作によって選択可能に表示部に表示するリコメンド・メッセージ表示手段と、
前記送信メッセージを前記サーバ装置に送信する端末側メッセージ送信手段として機能させることを特徴とする端末プログラム。
【請求項１７】
メッセージ交換システムのための端末装置であって、
リコメンド・メッセージおよびその属性を示すリコメンド・メッセージ属性情報と、キーワードおよびその属性を示すキーワード属性情報とを記録する記録部と、
相手方端末装置から送信されてきたメッセージを受信する端末側メッセージ受信手段と、
受信したメッセージを表示部に表示する受信メッセージ表示手段と、
ユーザが入力部から入力したメッセージを表示部に表示する送信メッセージ表示手段と、
前記記録部に記録されたキーワード属性情報に基づいて、受信メッセージまたは送信メッセージに含まれるキーワードの属性を抽出し、当該抽出属性に基づいてリコメンド・メッセージ属性情報からリコメンド・メッセージを抽出するリコメンド・メッセージ抽出手段と、
抽出されたリコメンド・メッセージを入力部の操作によって選択可能に表示部に表示するリコメンド・メッセージ表示手段と、
前記送信メッセージを前記相手方端末装置に送信する端末側メッセージ送信手段と、
を備えた端末装置。
【請求項１８】
メッセージ交換システムのための端末装置をコンピュータによって実現するための端末プログラムであって、
前記コンピュータには、リコメンド・メッセージおよびその属性を示すリコメンド・メッセージ属性情報と、キーワードおよびその属性を示すキーワード属性情報とを記録する記録部が設けられており、
前記端末プログラムは、コンピュータを、
相手方端末装置から送信されてきたメッセージを受信する端末側メッセージ受信手段と、
受信したメッセージを表示部に表示する受信メッセージ表示手段と、
ユーザが入力部から入力したメッセージを表示部に表示する送信メッセージ表示手段と、
前記記録部に記録されたキーワード属性情報に基づいて、受信メッセージまたは送信メッセージに含まれるキーワードの属性を抽出し、当該抽出属性に基づいてリコメンド・メッセージ属性情報からリコメンド・メッセージを抽出するリコメンド・メッセージ抽出手段と、
抽出されたリコメンド・メッセージを入力部の操作によって選択可能に表示部に表示するリコメンド・メッセージ表示手段と、
前記送信メッセージを前記相手方端末装置に送信する端末側メッセージ送信手段として機能させることを特徴とする端末プログラム。
【請求項１９】
請求項１４〜１８のいずれかのシステム、装置またはプログラムにおいて、
前記メッセージの少なくとも一部は、画像メッセージであることを特徴とするシステム、装置またはプログラム。
【請求項２０】
請求項１４〜１９のいずれかのシステム、装置またはプログラムにおいて、
前記リコメンド・メッセージは画像メッセージであることを特徴とするシステム、装置またはプログラム。